(57)【要約】【課題】信頼性に優れる被覆材付非水系二次電池、その製造方法および電池スタックを提供すること。【解決手段】被覆材付非水系二次電池１は、上面１０と、上面１０と間隔を隔てて対向配置される下面１１と、上面１０の周端縁３０および下面１１の周端縁３０を連結する周側面１２とを有する電池本体４、および、上面１０に設けられる端子５を備える非水系二次電池２と、電池本体４を、端子５を露出するように、被覆する被覆材３とを備え、被覆材３は、基材８と、基材８の表面に配置される感圧接着剤層９とを備え、被覆材３は、感圧接着剤層９が上面１０の前端縁３１および後端縁３２に感圧接着することにより、上面１０の周端縁３０の前端縁３１および後端縁３２を被覆している。【選択図】図１
2016162734.tif 000002
【特許請求の範囲】
【請求項１】
一方面と、前記一方面と間隔を隔てて対向配置される他方面と、前記一方面の周端縁および前記他方面の周端縁を連結する周側面とを有する電池本体、および、前記一方面および前記他方面のうちの少なくともいずれか一方に設けられる端子を備える非水系二次電池と、
前記電池本体を、前記端子を露出するように、被覆する被覆材とを備え、
前記被覆材は、基材と、前記基材の一方面に配置される感圧接着剤層とを備え、
前記被覆材は、前記感圧接着剤層が前記電池本体の前記一方面および前記他方面のうちの少なくともいずれか一方の周端縁の少なくとも一部に感圧接着することにより、前記電池本体の前記一方面および前記他方面のうちの少なくともいずれか一方の周端縁の少なくとも一部を被覆していることを特徴とする、被覆材付非水系二次電池。
【請求項２】
前記被覆材は、前記一方面および前記他方面のうちの少なくともいずれか一方における６０％以上を被覆していることを特徴とする、請求項１に記載の被覆材付非水系二次電池。
【請求項３】
前記端子は、前記電池本体の前記一方面に設けられ、
前記電池本体の前記一方面および前記他方面のそれぞれは、相対向する２つの長辺と、前記２つの長辺の間において、相対向する２つの短辺とを有する略矩形形状を有し、
前記周側面は、
前記２つの長辺に連続し、互いに間隔を隔てて対向配置される２つの第１面と、
前記２つの短辺に連続し、互いに間隔を隔てて対向配置される２つの第２面とを有し、
前記被覆材は、前記感圧接着剤層が前記電池本体の前記他方面および前記２つの第１面に感圧接着することにより、前記電池本体の前記他方面および前記２つの第１面を被覆し、かつ、前記電池本体の前記２つの第２面の外側において、前記被覆材が互いに重なる重なり部分を有していることを特徴とする、請求項１または２に記載の被覆材付非水系二次電池。
【請求項４】
前記被覆材は、展開状態において、略矩形形状を有することを特徴とする、請求項１〜３のいずれか一項に記載の被覆材付非水系二次電池。
【請求項５】
前記感圧接着剤層は、前記基材の前記一方面の全てに配置されていることを特徴とする、請求項１〜４のいずれか一項に記載の被覆材付非水系二次電池。
【請求項６】
一方面と、前記一方面と間隔を隔てて対向配置される他方面と、前記一方面の周端縁および前記他方面の周端縁を連結する周側面とを有する電池本体、および、前記一方面および前記他方面のうちの少なくともいずれか一方に設けられる端子を備える非水系二次電池を用意する電池用意工程、
基材と、前記基材の一方面に配置される感圧接着剤層とを備える被覆材を用意する被覆材用意工程、および、
前記被覆材によって、前記電池本体を、前記端子を露出するように、被覆する被覆工程を備え、
前記被覆工程では、前記感圧接着剤層が前記電池本体の前記一方面および前記他方面のうちの少なくともいずれか一方の周端縁の少なくとも一部に感圧接着することにより、前記被覆材によって、前記電池本体の前記一方面および前記他方面のうちの少なくともいずれか一方の周端縁の少なくとも一部を被覆することを特徴とする、被覆材付非水系二次電池の製造方法。
【請求項７】
前記端子は、前記電池本体の前記一方面に設けられ、
前記電池本体の前記一方面および前記他方面のそれぞれは、相対向する２つの長辺と、前記２つの長辺の間において、相対向する２つの短辺とを有する略矩形形状を有し、
前記周側面は、
前記２つの長辺に連続し、互いに間隔を隔てて対向配置される２つの第１面と、
前記２つの短辺に連続し、互いに間隔を隔てて対向配置される２つの第２面とを有し、
前記被覆工程は、
前記感圧接着剤層を前記電池本体の前記他方面および前記２つの第１面に感圧接着することにより、前記被覆材により、前記電池本体の前記他方面および前記２つの第１面を被覆する第１工程と、
前記電池本体の前記２つの第２面の外側において、前記被覆材が互いに重なる重なり部分を形成する第２工程と
を備えることを特徴とする、請求項６に記載の被覆材付非水系二次電池の製造方法。
【請求項８】
請求項３に記載の被覆材付非水系二次電池を複数備え、
複数の前記被覆材付非水系二次電池のそれぞれは、前記第１面が隣り合うように、積み重ねられていることを特徴とする、電池スタック。
【発明の詳細な説明】
【技術分野】
【０００１】
本発明は、被覆材付非水系二次電池、その製造方法および電池スタック、詳しくは、被覆材付非水系二次電池の製造方法、それにより得られる被覆材付非水系二次電池、および、それを備える電池スタックに関する。
【背景技術】
【０００２】
従来、リチウムイオン二次電池などの非水系二次電池を被覆シートなどで被覆することが知られている。
【０００３】
例えば、上方に開口部を有する角形外装缶と、開口部を封止する封口体とを備える角形電池であって、折り曲げられた一枚の絶縁シートにより、角形外装缶の底面および側面を覆うことが提案されている（例えば、特許文献１参照。）。
【先行技術文献】
【特許文献】
【０００４】
【特許文献１】特開２０１１−１８１４８５号公報
【発明の概要】
【発明が解決しようとする課題】
【０００５】
しかし、特許文献１に記載の角形電池は、角形外装缶および封口体の上面が露出しているので、高湿雰囲気下で使用されると、上記した上面に水滴が付着し、その水滴が、角形外装缶と封口体との間から内部に浸入し、角形電池が劣化するという不具合がある。
【０００６】
本発明の目的は、信頼性に優れる被覆材付非水系二次電池、その製造方法および電池スタックを提供することにある。
【課題を解決するための手段】
【０００７】
上記目的を達成するために、本発明の被覆材付非水系二次電池は、一方面と、前記一方面と間隔を隔てて対向配置される他方面と、前記一方面の周端縁および前記他方面の周端縁を連結する周側面とを有する電池本体、および、前記一方面および前記他方面のうちの少なくともいずれか一方に設けられる端子を備える非水系二次電池と、前記電池本体を、前記端子を露出するように、被覆する被覆材とを備え、前記被覆材は、基材と、前記基材の一方面に配置される感圧接着剤層とを備え、前記被覆材は、前記感圧接着剤層が前記電池本体の前記一方面および前記他方面のうちの少なくともいずれか一方の周端縁の少なくとも一部に感圧接着することにより、前記電池本体の前記一方面および前記他方面のうちの少なくともいずれか一方の周端縁の少なくとも一部を被覆していることを特徴としている。
【０００８】
この被覆材付非水系二次電池によれば、基材は、感圧接着剤層が電池本体の一方面および他方面のうちの少なくともいずれか一方の周端縁の少なくとも一部に感圧接着することにより、電池本体の一方面および他方面のうちの少なくともいずれか一方の周端縁の少なくとも一部を被覆しているので、電池本体の一方面および他方面のうちの少なくともいずれか一方の周端縁の少なくとも一部から電池本体内に水が浸入することを抑制することができる。そのため、非水系二次電池の劣化を抑制することができる。その結果、被覆材付非水系二次電池は、信頼性に優れている。
【０００９】
本発明の被覆材付非水系二次電池では、前記被覆材は、前記一方面および前記他方面のうちの少なくともいずれか一方における６０％以上を被覆していることが好適である。
【００１０】
この被覆材付非水系二次電池によれば、一方面および他方面のうちの少なくともいずれか一方から電池本体内に水が浸入することを有効に抑制することができる。
【００１１】
本発明の被覆材付非水系二次電池では、前記端子は、前記電池本体の前記一方面に設けられ、前記電池本体の前記一方面および前記他方面のそれぞれは、相対向する２つの長辺と、前記２つの長辺の間において、相対向する２つの短辺とを有する略矩形形状を有し、前記周側面は、前記２つの長辺に連続し、互いに間隔を隔てて対向配置される２つの第１面と、前記２つの短辺に連続し、互いに間隔を隔てて対向配置される２つの第２面とを有し、前記被覆材は、前記感圧接着剤層が前記電池本体の前記他方面および前記２つの第１面に感圧接着することにより、前記電池本体の前記他方面および前記２つの第１面を被覆し、かつ、前記電池本体の前記２つの第２面の外側において、前記被覆材が互いに重なる重なり部分を有していることが好適である。
【００１２】
この被覆材付非水系二次電池では、重なり部分が、第１面の外側ではなく、第２面の外側に設けられるので、第１面が隣り合う方向において、嵩張ることを抑制することができる。そのため、第１面が隣り合うように、複数積み重ねて、電池スタックを製造しても、コンパクトに電池スタックを製造することができる。
【００１３】
本発明の被覆材付非水系二次電池では、前記被覆材は、展開状態において、略矩形形状を有することが好適である。
【００１４】
この被覆材付非水系二次電池によれば、被覆材は、展開状態において、略矩形形状を有するので、被覆材に切り込みや切り欠きなどの外形加工を施すことなく、簡易な形状で、非水系二次電池を被覆することができる。
【００１５】
本発明の被覆材付非水系二次電池では、前記感圧接着剤層は、前記基材の前記一方面の全てに配置されていることが好適である。
【００１６】
この被覆材付非水系二次電池によれば、感圧接着剤層は、基材の一方面の全てに配置されているので、感圧接着剤層をパターンなどに形成することなく、感圧接着剤層を簡易に形成して、被覆材の構成を簡易にすることができる。また、非水系二次電池を隙間なく被覆することができる。
【００１７】
本発明の被覆材付非水系二次電池の製造方法は、一方面と、前記一方面と間隔を隔てて対向配置される他方面と、前記一方面の周端縁および前記他方面の周端縁を連結する周側面とを有する電池本体、および、前記一方面および前記他方面のうちの少なくともいずれか一方に設けられる端子を備える非水系二次電池を用意する電池用意工程、基材と、前記基材の一方面に配置される感圧接着剤層とを備える被覆材を用意する被覆材用意工程、および、前記被覆材によって、前記電池本体を、前記端子を露出するように、被覆する被覆工程を備え、前記被覆工程では、前記感圧接着剤層が前記電池本体の前記一方面および前記他方面のうちの少なくともいずれか一方の周端縁の少なくとも一部に感圧接着することにより、前記被覆材によって、前記電池本体の前記一方面および前記他方面のうちの少なくともいずれか一方の周端縁の少なくとも一部を被覆することを特徴としている。
【００１８】
この被覆材付非水系二次電池の製造方法によれば、被覆工程では、感圧接着剤層が電池本体の一方面および他方面のうちの少なくともいずれか一方の周端縁の少なくとも一部に感圧接着するので、電池本体の一方面および他方面のうちの少なくともいずれか一方の周端縁の少なくとも一部から電池本体内に水が浸入することを抑制することができる。そのため、非水系二次電池の劣化を抑制することができる。その結果、信頼性に優れる被覆材付非水系二次電池を製造することができる。
【００１９】
本発明の被覆材付非水系二次電池の製造方法では、前記端子は、前記電池本体の前記一方面に設けられ、前記電池本体の前記一方面および前記他方面のそれぞれは、相対向する２つの長辺と、前記２つの長辺の間において、相対向する２つの短辺とを有する略矩形形状を有し、前記周側面は、前記２つの長辺に連続し、互いに間隔を隔てて対向配置される２つの第１面と、前記２つの短辺に連続し、互いに間隔を隔てて対向配置される２つの第２面とを有し、前記被覆工程は、前記感圧接着剤層を前記電池本体の前記他方面および前記２つの第１面に感圧接着することにより、前記被覆材により、前記電池本体の前記他方面および前記２つの第１面を被覆する第１工程と、前記電池本体の前記２つの第２面の外側において、前記被覆材が互いに重なる重なり部分を形成する第２工程とを備えることが好適である。
【００２０】
この被覆材付非水系二次電池の製造方法によれば、第１工程において、被覆材により、電池本体の他方面および２つの第１面を被覆し、第２工程において、電池本体の２つの第２面の外側において、被覆材が互いに重なる重なり部分を形成するので、重なり部分を、第１面の外側ではなく、第２面の外側に確実に配置することができる。
【００２１】
本発明の電池スタックは、上記した被覆材付非水系二次電池を複数備え、複数の前記被覆材付非水系二次電池のそれぞれは、前記第１面が隣り合うように、積み重ねられていることが好適である。
【００２２】
この電池スタックでは、重なり部分が、第１面の外側ではなく、第２面の外側に設けられるので、第１面が隣り合う方向において、嵩張ることを抑制して、小型化を図ることができる。
【発明の効果】
【００２３】
本発明の被覆材付非水系二次電池は、信頼性に優れている。
【００２４】
本発明の被覆材付非水系二次電池の製造方法は、信頼性に優れる被覆材付非水系二次電池を製造することができる。
【００２５】
本発明の電池スタックによれば、小型化を図ることができる。
【図面の簡単な説明】
【００２６】
【図１】図１は、本発明の被覆材付非水系二次電池の一実施形態の斜視図を示す。
【図２】図２は、図１に示す被覆材付非水系二次電池の正面図を示す。
【図３】図３は、図２に示す被覆材付非水系二次電池の側断面図であって、図２のＡ−Ａ線に沿う断面図である。
【図４】図４は、図２に示す被覆材付非水系二次電池の側断面図であって、図２のＢ−Ｂ線に沿う断面図である。
【図５】図５は、図３および図４に示す被覆材付非水系二次電池の平断面図であって、図３および図４のＣ−Ｃ線に沿う断面図である。
【図６】図６は、図１に示す被覆材付非水系二次電池の製造方法における工程図であって、図６Ａは、電池用意工程および被覆材用意工程、図６Ｂは、非水系二次電池を感圧接着剤層に載置する工程、図６Ｃは、感圧接着剤層を非水系二次電池の前面および後面に接触させる工程、図６Ｄは、感圧接着剤層を上面に感圧接着させ、第１重なり部分を形成する工程、図６Ｅは、感圧接着剤層を右面および左面に感圧接着させ、第２重なり部分を形成する第２工程を示す。
【図７】図７は、図１に示す被覆材付非水系二次電池を複数備える電池スタックの斜視図を示す。
【図８】図８は、被覆材付非水系二次電池の変形例（非水系二次電池が円筒型である態様）を、上側から見た斜視図を示す。
【図９】図９は、被覆材付非水系二次電池の変形例（非水系二次電池が円筒型である態様）を、下側から見た斜視図を示す。
【図１０】図１０Ａ〜図１０Ｂは、被覆材の変形例（感圧接着剤層が、基材の表面の左右方向中央部に設けられ、基材同士によって第２重なり部分を形成する態様）を用いる被覆材付非水系二次電池の製造方法における工程図であって、図１０Ａは、非水系二次電池を感圧接着剤層に載置する工程の斜視図、図１０Ｂは、第２工程における平断面図（図５に対応する平断面図）を示す。
【図１１】図１１Ａ〜図１１Ｄは、被覆材の変形例（感圧接着剤層が、基材の前側部分に設けられ、基材と感圧接着剤層とによって第２重なり部分を形成する態様）を用いる被覆材付非水系二次電池の製造方法における工程図であって、図１１Ａは、非水系二次電池を被覆材の中央部に載置する工程の斜視図、図１１Ｂは、第２工程における平断面図（図５に対応する平断面図）、図１１Ｃは、第２工程における側断面図（図３に対応する側断面図）、図１１Ｃは、第２工程における側断面図（図４に対応する側断面図）を示す。
【図１２】図１２は、被覆材の変形例（感圧接着剤層が、基材の表面に縞状に設けられている態様）の斜視図を示す。
【図１３】図１３は、被覆材付非水系二次電池の変形例の平断面図であって、図５に対応する平断面図を示す。
【図１４】図１４は、被覆材付非水系二次電池の変形例（基材同士によって第２重なり部分を形成する態様）の平断面図であって、図５に対応する平断面図を示す。
【発明を実施するための形態】
【００２７】
＜一実施形態＞
本発明の被覆材付非水系二次電池、その製造方法および電池スタックの一実施形態を以下で順次説明する。
【００２８】
１．被覆材付非水系二次電池
図２において、紙面上下方向は、上下方向（第１方向）であり、紙面上側が上側（第１方向一方側）、紙面下側が下側（第１方向他方側）である。紙面左右方向は、左右方向（第１方向に直交する第２方向）であり、紙面左側が左側（第２方向一方側）、紙面右側が右側（第２方向他方側）である。紙厚方向は、前後方向（第１方向および第２方向に直交する第３方向）であり、紙面手前側が前側（第３方向一方側）、紙面奥側が後側（第３方向他方側）である。具体的には、各図の方向矢印に準拠する。
【００２９】
また、図６Ａにおいて、被覆材３において基材８および感圧接着剤層９（後述）を示しているが、図６Ｂ〜図６Ｅでは、被覆材３と非水系二次電池２（後述）との関係を明確に示すために、基材８および感圧接着剤層９を省略している。
【００３０】
また、図６Ａおよび図６Ｂにおいて、外装部７（後述）を示しているが、図６Ｃ〜図６Ｅでは、被覆材３と非水系二次電池２（後述）との関係を明確に示すために、外装部７を省略している。
【００３１】
図１に示すように、被覆材付非水系二次電池１は、非水系二次電池２（破線）と、被覆材３とを備えている。
【００３２】
１−１．非水系二次電池
非水系二次電池２は、図６Ａおよび図６Ｂに示すように、例えば、略箱形形状を有する角形非水系二次電池である。非水系二次電池２としては、例えば、リチウムイオン二次電池、リチウム金属二次電池などが挙げられ、好ましくは、リチウムイオン二次電池が挙げられる。
【００３３】
非水系二次電池２は、電池本体４と、端子５とを備えている。
【００３４】
電池本体４は、左右方向に長い略箱形形状を有しており、充放電部６と、上部に開口部が形成され、充放電部６を収容する外装部７と、外装部７の開口部を覆う上蓋１８（図３および図４参照）とを備えている。
【００３５】
充放電部６は、略箱形形状を有しており、公知の正極、負極および非水系電解液を備えている。
【００３６】
外装部７は、略有底角筒形状を有する外装ケースである。外装部７は、その内側において、充放電部６を収容している。
【００３７】
上蓋１８は、図３および図４に示すように、外装部７の開口部に、充放電部６の上面を被覆するように、配置されている。
【００３８】
図２、図４および図５に示すように、電池本体４は、一方面の一例としての上面１０と、他方面の一例としての下面１１と、周側面１２とを有している。上面１０は、上蓋１８の上面であり、下面１１は、外装部７の下面であり、周側面１２は、外装部７の外周側面である。
【００３９】
上面１０は、図１の破線で示すように、相対向する２つの長辺２０と、２つの長辺２０の間において、相対向する２つの短辺２１とを有する矩形形状を有している。
【００４０】
２つの長辺２０は、前長辺２３と、前長辺２３の後側に間隔を隔てて対向される後長辺２４とを有している。
【００４１】
２つの短辺２１は、短右辺２５と、短右辺２５の左側に間隔を隔てて対向される短左辺２６とを有している。
【００４２】
また、上面１０は、周端縁３０を有している。周端縁３０は、前長辺２３を含む前端縁３１と、前端縁３１の後側に間隔を隔てて対向配置され、後長辺２４を含む後端縁３２、前端縁３１および後端縁３２の右端に連続し、短右辺２５を含む右端縁３３と、前端縁３１および後端縁３２の左端に連続し、短左辺２６を含む左端縁３４とを有している。
【００４３】
さらに、上面１０は、上面１０における前側半分部分に位置し、前端縁３１を含む前部３５と、上面１０の後側半分部分に位置し、後端縁３２を含む後部３６とを有している。
【００４４】
下面１１は、上面１０に対して、下側に間隔を隔てて対向配置されている。下面１１は、図４に示すように、上記した上面１０と同一の外形形状を有している。
【００４５】
周側面１２は、上面１０の周端縁３０と、下面１１の周端縁３０とを連結している。具体的には、周側面１２は、図１および図５に示すように、前長辺２３および後長辺２４に連続する第１面４０と、短右辺２５および短左辺２６に連続する第２面４１（図５参照）とを有している。
【００４６】
２つの第１面４０は、互いに間隔を隔てて対向配置されており、前面１３と、前面１３の後側に配置される後面１４とからなる。前面１３は、前端縁３１に連続している。後面１４は、後端縁３２に連続している。
【００４７】
図５に示すように、２つの第２面４１は、互いに間隔を隔てて対向配置されており、右面１５と、右面１５の左側に配置される左面１６とからなる。右面１５は、右端縁３３に連続している。左面１６は、左端縁３４（図１参照）に連続している。
【００４８】
端子５は、図１に示すように、電池本体４の上面１０に設けられている。具体的には、図６Ａに示すように、端子５は、電池本体４の上面１０における前後方向中央部において、上面１０から上方に向かって突出する略箱形形状を有している。また、端子５は、左右方向に間隔を隔てて２つ設けられている。２つの端子５のうち、一方が、充放電部６の正極と電気的に接続される正極端子であり、他方が、充放電部６の負極と電気的に接続される負極端子である。
【００４９】
１−２．被覆材
被覆材３は、電池本体４を、端子５を露出するように、被覆している。
【００５０】
そして、被覆材３は、図３〜図５に示すように、非水系二次電池２の上面１０を被覆する上面被覆部８０と、下面１１を被覆する下面被覆部８１と、前面１３を被覆する前面被覆部８３と、後面１４を被覆する後面被覆部８４と、右面１５を被覆する右面被覆部８５と、左面１６を被覆する左面被覆部８６とを一体的に有している。
【００５１】
また、被覆材３は、上面１０の上側に形成される第１重なり部分４５と、端子５の下部を被覆する端子被覆部８７と、右面１５および左面１６のそれぞれの外側に形成される第２重なり部分６０とを備えている。
【００５２】
第１重なり部分４５は、図３に示すように、上面被覆部８０に連続し、上面被覆部８０の前後方向中央部から上側に向かって延びる形状を有している。第１重なり部分４５は、被覆材３の上側両端縁（後述する最前部６３および最後部６４）が重なることにより形成されている。第１重なり部分４５と上面被覆部８０とは、一体となって側断面略Ｔ字形状に形成されている。
【００５３】
端子被覆部８７は、図４に示すように、上面被覆部８０に連続しており、端子５の下部を被覆している。一方、端子被覆部８７は、端子５の上部を露出している。また、端子被覆部８７は、図１および図２に示すように、左右方向において、第１重なり部分４５と並列して配置されている。
【００５４】
２つの第２重なり部分６０のそれぞれは、図５に示すように、右面被覆部８５および左面被覆部８６のそれぞれに連続するように設けられている。２つの第２重なり部分６０のそれぞれは、右面被覆部８５の前後方向中央部から右側、および、左面被覆部８６の前後方向中央部から左側のそれぞれに向かって延びる形状を有している。第２重なり部分６０は、被覆材３の右側両端縁（後述する最右部５６）が重なること、および、被覆材３の左側両端縁（後述する最左部５７）が重なることにより、形成されている。右側の第２重なり部分６０と右面被覆部８５とは、一体となって平断面略Ｔ字形状に形成されている。左側の第２重なり部分６０と左面被覆部８６とは、一体となって平断面略Ｔ字形状に形成されている。
【００５５】
被覆材３は、図６Ａに示すように、展開状態において、矩形形状を有している。被覆材３は、基材８と、感圧接着剤層９とを備えている。
【００５６】
基材８としては、例えば、ポリエチレンテレフタレート、ポリアクリル、ポリオレフィンなどの公知の可撓性プラスチックから形成されるシートが挙げられる。基材は、単層および複層のいずれの形態を有していてもよい。基材８の厚みは、例えば、５μｍ以上、好ましくは、１０μｍ以上であり、また、例えば、１００μｍ以下、好ましくは、６０μｍ以下である。
【００５７】
感圧接着剤層９は、図６Ａに示すように、基材８の表面（厚み方向一方面の一例）の全てに配置されている。感圧接着剤層９は、感圧接着剤から形成されるシート形状を有している。感圧接着剤として、例えば、アクリル系感圧接着剤、ゴム系感圧接着剤、シリコーン系感圧接着剤、ポリオレフィン系感圧接着剤など、公知の封止性（密封性）を有する感圧接着剤が挙げられる。感圧接着剤層９の厚みは、例えば、１μｍ以上、好ましくは、５μｍ以上であり、また、例えば、１００μｍ以下、好ましくは、５０μｍ以下である。
【００５８】
被覆材３は、基材８の表面（上面）に、感圧接着剤層９を、公知方法によって配置することにより得られる。また、図示しないが、被覆材３は、１枚の矩形状の基材８に、感圧接着剤層９を配置し、これらを繰り返して、１枚の被覆材３毎に（枚葉式で）製造することができる。または、ロールに巻回された基材８を連続的に繰り出しながら、感圧接着剤層９を連続的に配置し、その後、それらを矩形状に切断して、１枚の被覆材３を製造することもできる。
【００５９】
被覆材３の寸法は、上記した被覆部（上面被覆部８０、下面被覆部８１、前面被覆部８３、後面被覆部８４、右面被覆部８５、左面被覆部８６および端子被覆部８７）と重なり部分（第１重なり部分４５および第２重なり部分６０）とを形成することができるように、適宜調整されている。
【００６０】
具体的には、図３、図４および図６Ａが参照されるように、被覆材３の前後方向長さＬ１は、例えば、下面１１の前後方向長さＬ３と、前面１３の上下方向長さＬ４と、後面１４の上下方向長さＬ４との総長さ（Ｌ３＋２×Ｌ４）に対して、長く設定されている。また、被覆材３の前後方向長さＬ１は、上面１０の前後方向長さＬ３と、下面１１の前後方向長さＬ３と、前面１３の上下方向長さＬ４と、後面１４の上下方向長さＬ４との総長さ（２×Ｌ３＋２×Ｌ４）に対して、短く設定されている。
【００６１】
被覆材３の左右方向長さＬ２は、図６Ａに示すように、例えば、下面１１の左右方向長さＬ５に比べて、長く設定されている。また、被覆材３の左右方向長さＬ２は、例えば、下面１１の左右方向長さＬ５と、右面１５の前後方向長さＬ３と、左面１６の前後方向長さＬ３との総長さ（Ｌ５＋２×Ｌ３）に対して、同じかまたはそれより長く設定されている。
【００６２】
被覆材３の厚みは、例えば、５μｍ以上、好ましくは、１０μｍ以上であり、また、例えば、２００μｍ以下、好ましくは、１００μｍ以下である。
【００６３】
２．被覆材付非水系二次電池の製造方法
次に、被覆材付非水系二次電池１を製造する方法について説明する。
【００６４】
被覆材付非水系二次電池１の製造方法は、電池用意工程（図６Ａ参照）、被覆材用意工程（図６Ａ参照）、および、被覆工程（図６Ｂ〜図６Ｅ参照）を備える。以下、各工程について詳述する。
【００６５】
２−１．電池用意工程
電池用意工程では、図６Ａに示すように、電池本体４と、電池本体４の上面１０に設けられる端子５とを備える非水系二次電池２を用意する。
【００６６】
２−２．被覆材用意工程
被覆材用意工程では、基材８と、基材８の表面に配置される感圧接着剤層９とを備える被覆材３を、矩形状のシートとして用意する。
【００６７】
２−３．被覆工程
被覆工程を、「２−１．電池用意工程」および「２−２．被覆材用意工程」の後に実施する。
【００６８】
被覆工程は、被覆材３により、電池本体４の下面１１、前面１３および後面１４を被覆する第１工程（図６Ｂ〜図６Ｄ参照）と、右面１５および左面１６の外側において、被覆材３を互いに重ね合わせる第２工程（図６Ｅ参照）とを備える。
【００６９】
２−３−１．第１工程
第１工程では、感圧接着剤層９を電池本体４の下面１１（図３および図４参照）、前面１３および後面１４（図３および図４参照）に感圧接着する。そして、被覆材３によって、電池本体４の下面１１、前面１３および後面１４を被覆する。つまり、被覆材３に、下面被覆部８１、前面被覆部８３および後面被覆部８４を形成する。
【００７０】
第１工程を実施するには、まず、図３、図４および図６Ｂに示すように、非水系二次電池２の下面１１を、感圧接着剤層９の中央部５１に接触させる。つまり、感圧接着剤層９の中央部５１を下面１１に感圧接着する。具体的には、非水系二次電池２の下面を感圧接着剤層９の中央部５１に配置（載置）する。これよって、被覆材３の中央部５１により、下面１１を被覆する。これによって、被覆材３に、下面被覆部８１を形成する。
【００７１】
次いで、図３、図４および図６Ｃに示すように、被覆材３において中央部５１より前側に位置する前部５２、および、中央部５１より後側に位置する後部５３を、上側に折り返して、感圧接着剤層９において、前部５２、および、後部５３のそれぞれを、非水系二次電池２の前面１３および後面１４のそれぞれに接触させる。
【００７２】
詳しくは、図６Ｂの矢印で示すように、前部５２の前端部を、中央部５１を支点として後側に揺動させる。これとともに、後部５３の後端部を、中央部５１を支点として前側に揺動させる。
【００７３】
これによって、感圧接着剤層９の前部５２（前端部を除く前部５２）および後部５３（後端部を除く後部５３）のそれぞれを、非水系二次電池２の前面１３および後面１４（図３および図４参照）のそれぞれに感圧接着させる。これによって、被覆材３の前部５２（前端部を除く前部５２）および後部５３（後端部を除く後部５３）のそれぞれによって、非水系二次電池２の前面１３および後面１４のそれぞれを被覆する。これによって、被覆材３に、前面被覆部８３および後面被覆部８４のそれぞれを形成する。
【００７４】
続いて、図３、図４および図６Ｄに示すように、被覆材３の前部５２の前端部、および、後部５３の後端部を中央で束ねる。具体的には、図６Ｃの矢印で示すように、被覆材３の前部５２の前端部を後側に折り返す。これとともに、被覆材３の後部５３の後端部を前側に折り返す。
【００７５】
これによって、感圧接着剤層９の前部５２の前端部を、上面１０の前端部３１に感圧接着させる。具体的には、図３および図４に示すように、感圧接着剤層９の前部５２の前端部（より具体的には、前端部における前端基部６１）を、上面１０における前部３５に感圧接着させる。また、感圧接着剤層９の後部５３の後端部を、上面１０の後端部３２に感圧接着させる。具体的には、感圧接着剤層９の後部５３の後端部（より具体的には、後端部における後端基部６２）を、上面１０における後部３６に感圧接着させる。
【００７６】
これによって、感圧接着剤層９は、前端縁３１の左右方向全てを感圧接着している。また、感圧接着剤層９は、後端縁３２の左右方向全てを感圧接着している。
【００７７】
要するに、感圧接着剤層９は、上面１０の前部５２の全ておよび後部５３の全て（端子５が設けられる部分を除く）に対して、感圧接着している。
【００７８】
これによって、被覆材３に、上面被覆部８０を形成する。
【００７９】
続いて、図３に示すように、感圧接着剤層９によって、前部５２の前端部における最前部６３（展開状態において、上記した前端基部６１より前側に位置する前遊端部、つまり、上面被覆部８０を形成した後の余剰の前部５２、すなわち、前端縁６３）、および、後部５３の後端部における最後部６４（展開状態において、上記した後端基部６２より後側に位置する後遊端部、つまり、上面被覆部８０を形成した後の余剰の後部５３、すなわち、後端縁６４）を、互いに重ね合わせる。これにより、感圧接着剤層９の最前部６３と最後部６４とが感圧接着して、被覆材３に、被覆材３の最前部６３と最後部６４とが重なる第１重なり部分４５を形成する。
【００８０】
一方、上記した第１重なり部分４５の形成において、端子５に対応する箇所には、図４に示すように、感圧接着剤層９の前部５２の最前部６３、および、後部５３の最後部６４のそれぞれを、端子５の前面および後面のそれぞれに、感圧接着させる。この際、被覆材３により、端子５の上部を露出させるように、端子５の下部を被覆する。これによって、被覆材３に、端子被覆部８７を形成する。
【００８１】
なお、この第１工程では、図６Ｄに示すように、被覆材３における右部５４（中央部５１より右側に位置する部分）および左部５５（中央部５１より左側に位置する部分）のそれぞれは、非水系二次電池２の右面１５および左面１６とまだ接触せず、被覆材３は、上記した第１重なり部分４５の形成に基づいて、上下方向に長い断面略リング形状を有している。
【００８２】
２−３−２．第２工程
第２工程を、「２−３−１．第１工程」の後に実施する。
【００８３】
第２工程では、図５および図６Ｅに示すように、電池本体４の右面１５および左面１６の外側において、感圧接着剤層９同士を感圧接着する。これにより、被覆材３に、第２重なり部分６０を形成する。
【００８４】
第２工程を実施するには、被覆材３における右部５４および左部５５のそれぞれを、右面１５および左面１６の前後方向中央側に折り返す。
【００８５】
具体的には、感圧接着剤層９の右部５４における右端部（より具体的には、右部５４における右端基部５８）を、右面１５に感圧接着させる。これにより、被覆材３に、右面被覆部８５を形成する。
【００８６】
また、感圧接着剤層９の左部５５における左端部（より具体的には、左部５５における左端基部５９）を、左面１６に感圧接着させる。これにより、被覆材３に、左面被覆部８６を形成する。
【００８７】
続いて、右面１５の右側において、感圧接着剤層９によって、右部５４の最右部５６（上記した右端基部５８より右側に位置する右遊端部、つまり、右面被覆部８５を形成した後の余剰の右部５４、すなわち、右端縁５６）を、互いに重ね合わせる。また、左面１６の左側において、感圧接着剤層９によって、左部５５の最左部５７（上記した左端基部５９より左側に位置する左遊端部、つまり、左面被覆部８６を形成した後の余剰の左部５５、すなわち、最左部５７）を、互いに重ね合わせる。
【００８８】
これにより、感圧接着剤層９の最右部５６と最左部５７とが感圧接着して、被覆材３に、被覆材３の最右部５６と最左部５７とが重なる第２重なり部分６０を形成する。
【００８９】
これによって、被覆材３により、電池本体４を、端子５を露出するように、被覆する。上記の工程によって、非水系二次電池２と、被覆材３とを備える被覆材付非水系二次電池１を得る。
【００９０】
３．電池スタック
図７に示すように、電池スタック７０は、上記した被覆材付非水系二次電池１を複数備える。
【００９１】
電池スタック７０において、複数の被覆材付非水系二次電池１のそれぞれは、前面１３および後面１４（図７において図示されず。図４参照。）が隣り合うように、前後方向に積み重ねられている。例えば、第１の被覆材付非水系二次電池１０１、および、第１の被覆材付非水系二次電池１０１の後側に対向配置される第２の被覆材付非水系二次電池１０２は、第１の被覆材付非水系二次電池１０１の後面１４（図７において図示されず。図４参照。）と、第２の被覆材付非水系二次電池１０２の前面１３（図７において図示されず。図４参照。）とが、前後方向に隙間なく隣り合うように、積み重ねられている。具体的には、電池スタック７０において、第１の被覆材付非水系二次電池１０１の後面被覆部８４の全面と、第２の被覆材付非水系二次電池１０２の前面被覆部８３の全面とが、隙間なく接触している。
【００９２】
電池スタック７０において、複数の被覆材付非水系二次電池１に対応する端子５は、上面１０から上側に突出する形状を有している。
【００９３】
また、複数の被覆材付非水系二次電池１に対応する、複数の第２重なり部分６０は、電池スタック７０を前後方向に投影した投影面の内側に位置せず、投影面の左右方向外側（右側および左側）に位置している。なお、複数の被覆材付非水系二次電池１に対応する、複数の第１重なり部分４５は、上記した投影面の内側に位置せず、投影面の上側に位置している。
【００９４】
＜作用効果＞
この被覆材付非水系二次電池１によれば、基材８は、上面１０の周端縁３０の前端縁３１および後端縁３２に感圧接着することにより、上面１０を被覆しているので、上面１０の周端縁３０の前端縁３１および後端縁３２から電池本体４内に水が浸入することを抑制することができる。具体的には、前端縁３１および後端縁３２から、水が、上蓋１８と外装部７との間に浸入することを抑制することができる。そのため、非水系二次電池２の劣化を抑制することができる。その結果、被覆材付非水系二次電池１は、信頼性に優れている。
【００９５】
なお、この被覆材付非水系二次電池１では、上面１０の周端縁３０の全て、つまり、前端縁３１および後端縁３２の他、右端縁３３および左端縁３４にも、基材８が感圧接着して、それらを被覆しているので、上記した水の浸入を有効に抑制して、非水系二次電池２の劣化を有効に抑制することができる。
【００９６】
また、この被覆材付非水系二次電池１では、第２重なり部分６０が、第１面４０の外側ではなく、第２面４１の外側に設けられるので、前後方向において、嵩張ることを抑制することができる。そのため、第１面４０が隣り合うように、複数積み重ねて、電池スタック７０を製造しても、コンパクトに電池スタック７０を製造することができる。
【００９７】
また、この被覆材付非水系二次電池１によれば、図６Ａに示すように、被覆材３は、展開状態において、矩形形状を有するので、被覆材３に切り込みや切り欠きなどの外形加工を施すことなく、簡易な形状で、非水系二次電池２を被覆することができる。
【００９８】
また、この被覆材付非水系二次電池１によれば、感圧接着剤層９は、基材８の表面の全てに配置されているので、感圧接着剤層９をパターンなどに形成することなく、感圧接着剤層９を簡易に形成して、被覆材３の構成を簡易にすることができる。また、非水系二次電池２を隙間なく被覆することができる。
【００９９】
また、この被覆材付非水系二次電池１の製造方法によれば、被覆工程では、感圧接着剤層９が上面１０の周端縁３０の前端縁３１および後端縁３２に感圧接着することにより、被覆材３が、上面１０の周端縁３０の前端縁３１および後端縁３２を被覆するので、上面１０の周端縁３０の前端縁３１および後端縁３２から電池本体４内に水が浸入することを抑制することができる。具体的には、前端縁３１および後端縁３２から、水が、上蓋１８と外装部７との間に浸入することを抑制することができる。そのため、非水系二次電池２の劣化を抑制することができる。その結果、信頼性に優れる被覆材付非水系二次電池１を製造することができる。
【０１００】
また、この被覆材付非水系二次電池１の製造方法によれば、第１工程において、図６Ｃに示すように、被覆材３により、下面１１（図３および図４参照）、前面１３および後面１４（図３および図４参照）を被覆し、第２工程において、図６Ｅに示すように、右面１５の右側および左面１６の左側において、被覆材３が互いに重なる第２重なり部分６０を形成するので、第２重なり部分６０を、前面１３の前側および後面１４の後側ではなく、右面１５の右側および左面１６の左側に確実に配置することができる。
【０１０１】
そのため、この電池スタック７０では、互いに隣り合う被覆材付非水系二次電池１の前面被覆部８３と後面被覆部８４とを密着させることができる。その結果、電池スタック７０が前後方向において、嵩張ることを抑制して、電池スタック７０の小型化を図ることができる。
【０１０２】
＜変形例＞
変形例において、上記した一実施形態と同様の部材および工程については、同一の参照符号を付し、その詳細な説明を省略する。
【０１０３】
上記した一実施形態では、非水系二次電池２を、角形非水系二次電池として説明している。しかし、非水系二次電池２は、上記に限定されず、例えば、図８および図９に示すように、上下方向に延びる略円柱形状を有する円筒型非水系二次電池であってもよい。
【０１０４】
図８および図９に示すように、非水系二次電池２において、端子５は、電池本体４における上面１０と、下面１１とのそれぞれに設けられている。周側面１２は、円周外側面として形成されている。
【０１０５】
このような非水系二次電池２を備える被覆材付非水系二次電池１では、感圧接着剤層９が上面１０の周端縁３０と下面１１の周端縁３０との両方に感圧接着することにより、被覆材３が、上面１０と下面１１との周端縁３０を被覆している。
【０１０６】
図８および図９に示す被覆材付非水系二次電池１によれば、上面１０および下面１１の両面の周端縁３０から電池本体４内に水が浸入することを抑制することができる。
【０１０７】
また、上記した一実施形態では、感圧接着剤層９は、上面１０（端子５が形成される箇所を除く）の全て（１００％）に対して、感圧接着している。しかし、これに限定されず、感圧接着剤層９（被覆材３）は、上面１０における周端縁３０の少なくとも一部、つまり、少なくとも、前端縁３１および後端縁３２を被覆していればよく、具体的には、上面の、例えば、６０％以上、好ましくは、７５％以上、より好ましくは、９０％以上、また、９９％以下、被覆していればよい。
【０１０８】
さらに、感圧接着剤層９は、前端縁３１の全て、および、後端縁３２からの全てに対して、感圧接着しているが、例えば、図示しないが、前端縁３１の左右方向中央部（前端縁３１の左右両端部を除く部分）、および／または、後端縁３２の左右方向中央部（後端縁３２の左右両端部を除く部分）のみに感圧接着し、前端縁３１の左右両端部、および／または、後端縁３２の左右両端部に対して、間隔を隔てて配置されていてもよい。つまり、前端縁３１の左右両端部、および／または、後端縁３２の左右両端部を、露出させることもできる。
【０１０９】
また、上記した一実施形態では、図６Ａに示すように、被覆材３は、展開状態において、矩形形状を有している。しかし、図示しないが、被覆材３は、非水系二次電池２の形状に対応して、切り込みや切り欠きを有することもできる。
【０１１０】
また、上記した一実施形態では、図５に示すように、感圧接着剤層９同士の感圧接着によって、右面１５および左面１６の外側において、被覆材３に第２重なり部分６０を形成している。しかし、第２重なり部分６０を形成できれば、感圧接着剤層９同士の感圧接着に限定されない。
【０１１１】
例えば、図１０Ａに示すように、まず、感圧接着剤層９を、基材８の幅方向中央部のみに、基材８の最右部５６および最左部５７を露出するように、配置する。なお、基材８は、熱圧着することのできる材料（具体的には、ポリプロピレン、ポリエチレン、プロピレン―エチレン共重合体、ポリエステル、ポリウレタン、エチレン−ビニルアルコール共重合体、エチレン―酢酸ビニル共重合体などを含む熱可塑性樹脂など）から形成されている。
【０１１２】
このような感圧接着剤層９を有する被覆材３を用いて、第２工程を実施するには、図１０Ｂに示すように、右面１５の右側において、基材８の最右部５６（右端縁５６）を、互いに重ね合わせて、それらを互いに熱圧着する。また、左面１６の左側において、基材８の最左部５７（最左部５７）を、互いに重ね合わせて、それらを互いに熱圧着する。
【０１１３】
これにより、基材８の最右部５６と最左部５７とがそれぞれ熱圧着して、被覆材３に、被覆材３の最右部５６と最左部５７とがそれぞれ重なる第２重なり部分６０を形成する。
【０１１４】
つまり、感圧接着剤層９が形成されていない基材８同士を熱圧着して、被覆材３のみによって第２重なり部分６０を形成する。
【０１１５】
また、図１１Ｂに示すように、感圧接着剤層９が形成されていない基材８と、感圧接着剤層９とを感圧接着することによって、第２重なり部分６０を形成することもできる。
【０１１６】
図１１Ａに示すように、感圧接着剤層９を、基材８における中央部５１を左右方向に沿って通過する線分Ｌより前側に、線分Ｌより後側部分の基材８を露出するように、配置すている。
【０１１７】
図１１Ａに示す被覆材３を用いて、第１工程を実施するには、非水系二次電池２の下面１１の前側部分を、感圧接着剤層９の中央部５１に接触させる。図１１Ｃおよび図１１Ｄに示すように、中央部５１より後側に位置する後部５３を、上側に折り返して、前部５２の感圧接着剤層９と接触させる。
【０１１８】
第２工程では、図１１Ｂに示すように、右面１５の右側において、最右部５６の前側部分に位置する感圧接着剤層９と、最右部５６の後側部分に位置する被覆材３とを、感圧接着する。また、最左部５７の前側部分に位置する感圧接着剤層９と、最左部５７の後側部分に位置する被覆材３とを、感圧接着する。これにより、前側部分の感圧接着剤層９と、後側部分の基材８とからなり、被覆材３の最右部５６と最左部５７とがそれぞれ互いに重なる第２重なり部分６０を形成する。
【０１１９】
また、上記した一実施形態では、図６Ａに示すように、感圧接着剤層９は、基材８の表面の全てに配置されている。しかし、上記に限定されず、感圧接着剤層９は、図１０Ａ、図１１Ｂ、および、図１２に示すように、基材８の表面の一部に配置されることもできる。
【０１２０】
図１２に示すように、感圧接着剤層９は、基材８の表面において、縞状を有する。図１２では、感圧接着剤層９は、前後方向に延びる帯状を有しており、左右方向に互いに間隔を隔てて複数（例えば、３つ）配置されている。
【０１２１】
また、上記した一実施形態では、図５に示すように、第２重なり部分６０を形成しているが、例えば、図示しないが、第２工程（図６Ｅ参照）で、第２重なり部分６０を形成することなく、感圧接着剤層９を右面１５および左面１６のそれぞれに感圧接着させることもできる。
【０１２２】
また、上記した一実施形態では、図５に示すように、感圧接着剤層９の右端基部５８が、電池本体４の右面１５を感圧接着して、被覆材３に右面被覆部８５を形成するとともに、感圧接着剤層９の左端基部５９が、電池本体４の左面１６を感圧接着して、被覆材３に左面被覆部８６を形成している。しかし、これに限定されず、例えば、図１２に示すように、右面１５および左面１６の外側において、被覆材３に、右面被覆部８５および左面被覆部８６を形成せずに、第２重なり部分６０のみを形成することもできる。
【０１２３】
図１３では、右面１５の右側において、２つの右端基部５８は、間隔を隔てて互いに対向配置されている。右面１５は、露出している。
【０１２４】
また、２つの左端基部５９は、間隔を隔てて互いに対向配置されている。左面１６は、露出している。
【０１２５】
図１３では、感圧接着剤層９を基材８の表面全面に配置しているが、図１４に示すように、感圧接着剤層９を、基材８の最右部５６および最左部５７を露出するように、配置する。そして、第２工程において、基材８の最右部５６および最左部５７をそれぞれ熱圧着することによって、第２重なり部分６０を形成する。
【０１２６】
また、上記した一実施形態では、被覆材３と、上面１０とは、矩形形状を有しているが、例えば、略矩形形状を有していてもよい。すなわち、略矩形形状は、４つの頂点を明確に有さず、４つの頂点に対応する位置に形成される湾曲形状を含むことができる。
【０１２７】
また、上記した一実施形態では、図６Ｄに示すように、被覆材３で、上面１０を被覆し、その後、図６Ｅに示すように、右面１５および左面１６を被覆している。しかし、それらの順序は、限定されない。つまり、図示しないが、図６Ｅが参照されるように、右面１５および左面１６を被覆し、その後、上面１０を被覆することもできる。
【０１２８】
さらに、上記した一実施形態では、被覆材３によって、下面１１を被覆し、次いで、前面１３および後面１４を被覆し、その後、上面１０を被覆している。しかし、それらの順序は、限定されない。つまり、例えば、図示しないが、まず、上面１０の前部３５を被覆し、続いて、前面１３と、下面１１と、後面１４と、上面１０の後部３６とを順次被覆することができる。また、その逆、すなわち、まず、上面１０の後部３６を被覆し、続いて、後面１４と、下面１１と、前面１３と、上面１０の前部３５とを順次被覆することもできる。
【符号の説明】
【０１２９】
１     被覆材付非水系二次電池
２     非水系二次電池
３     被覆材
４     電池本体
５     端子
８     基材
９     感圧接着剤層
１０   上面
１１   下面
１２   周側面
１３   前面
１４   後面
１５   右面
１６   左面
２０   長辺
２１   短辺
３０   周端縁
３１   前端縁
３２   後端縁
４０   第１面
４１   第２面
６０   第２重なり部分
【図１】
2016162734.tif 000003
【図２】
2016162734.tif 000004
【図３】
2016162734.tif 000005
【図４】
2016162734.tif 000006
【図５】
2016162734.tif 000007
【図６】
2016162734.tif 000008
【図７】
2016162734.tif 000009
【図８】
2016162734.tif 000010
【図９】
2016162734.tif 000011
【図１０】
2016162734.tif 000012
【図１１】
2016162734.tif 000013
【図１２】
2016162734.tif 000014
【図１３】
2016162734.tif 000015
【図１４】
2016162734.tif 000016